(57)【要約】      （修正有）【課題】低コストで製作でき、写真を簡単に保持でき、数枚の写真を縦方向に特別な連結手段なく連ねた状態で吊下げが可能で、写真の周りに装飾性を持たせることができる写真ケースを提供する。【解決手段】曲げに強く曲げ後において手を加えない限り復元しない透明なプラスチック板を用いケース本体Ａの四角各辺に吊り兼押え突片１〜４を曲げ可能に備え、吊り兼押え突片２〜４を折り曲げることにより、写真Ｂを保持し得且つ吊り兼押え突片１にて壁Ｃ等にピン止めにより壁掛けできるようにした。また、吊り兼押え突片２，３の突出幅Ｌを、吊り兼押え突片１，４の突出幅Ｌ1よりも幅狭に形成し、吊り兼押え突片１，４の曲げ根元に吊り兼押え突片２，３が挿入連結される連結口８を形成し、更にケース本体Ａと略同じ大きさに形成されて四角各辺の縁部に沿って図柄９等が施された透明な装飾体ａが、ケース本体Ａに写真Ｂと共にその裏面側に宛がわれるように成した。【選択図】図２
2005107153.tif 000002
【特許請求の範囲】
【請求項１】
曲げに強く且つ曲げ後において手を加えない限り復元しない特性を有する透明な板材を用いて正面視略矩形状に形成されたケース本体の四角四辺に、適宜形状の吊り兼押え突片が曲げ可能に備えられ、一ヶ所を除く三ヶ所の吊り兼押え突片を同じ方向に折り曲げることによって、写真を保持し得且つ一ヶ所の吊り兼押え突片を用いて壁等にピン止めし得るように形成されてなることを特徴とする写真ケース。
【請求項２】
請求項１に記載の各吊り兼押え突片の内、ケース本体の一ヶ所のコーナーを挟んで直角に連設する両辺に設けられる吊り兼押え突片の突出幅が、対角線上のもう一方のコーナーを挟んで直角に連設する両辺に設けられる他方の吊り兼押え突片よりも幅狭に形成され、該他方の吊り兼押え突片の曲げ根元には前記突出幅に相当する開口長さで且つ押え突片の厚さに相当する開口幅を有する連結口が開口されてなることを特徴とする写真ケース。
【請求項３】
請求項１又は２に記載のケース本体には略同じ大きさに形成され、四角各辺には種々の模様又は図柄等が施された透明な装飾体が宛がわれることで、ケース本体に収容保持される写真の四辺に装飾性が備えられるように構成されてなることを特徴とする写真ケース。
【請求項４】
請求項１乃至３いずれか１項に記載のケース本体が、ポリエチレンテレフタレートから形成されてなることを特徴とする写真ケース。
【発明の詳細な説明】
【技術分野】
【０００１】
本発明は、パーティションボードやその他の壁等に画鋲やプッシュピン等のピン類を用いて写真を吊持するために使用される壁掛け用写真ケースに関する。
【背景技術】
【０００２】
従来、写真をパーティションボード等にピン類を用いて取り付ける場合には写真にピン類を直接刺すことで行なわれている。そのために、写真に孔が開いてしまう等の大事な写真を傷めることになっていた。
【０００３】
そこで、写真を収容保持させて壁掛けするための写真フレームが提案させている（特許文献１）。
この写真フレームは、写真を収容するフレーム本体がプラスチック板で形成され、その四角四辺の内、三辺を凹型に囲み前面を開放し、その凹型溝に写真が挿し込み保持させる構成と成し、また、フレーム本体の長辺一辺と短辺一辺に、シート状の可動穴明き吊下げ部品を接着により夫々備え、この何れかの吊下げ部品を外側に１８０°折り曲げ起こすことで、フレーム本体を縦吊り又は横吊りのいずれか方向で壁掛けすることができるように構成されている。
【０００４】
しかし乍ら、この従来品では写真を収容保持させるためには、フレーム本体の凹型溝に合わせて写真の縁を移動させるように挿し込まなければならず、本体への写真の収容保持や写真の差し替えが面倒である等から取扱い性が悪い。また、複雑な構造であるが故に、コストが高くなる等の不具合を有している。
【０００５】
【特許文献１】実用新案登録第３０８４０７８号
【発明の開示】
【発明が解決しようとする課題】
【０００６】
本発明が解決しようとする課題は、構造が簡単で、低コストで製作提供することができ、しかも、写真を簡単に収容保持させることができる壁掛け用の写真ケースを提供することにある。
また、数枚の写真を、特別な連結手段を一切採用することなく縦方向に連ねた状態で吊下げが可能な壁掛け用の写真ケースを提供することにある。
更に、写真の縁に沿って飾り付けるように縁取りして装飾性を持たせることができる壁掛け用の写真ケースを提供することにある。
【課題を解決するための手段】
【０００７】
上記課題を解決するために本発明が講じる技術的手段は、曲げに強く且つ曲げ後において手を加えない限り復元しない特性を有する材質からなる透明な板材を用いて正面視略矩形状に形成されるケース本体の四角各辺の中央部位に、適宜形状の吊り兼押え突片が曲げ可能に備えられ、一ヶ所を除く三ヶ所の吊り兼押え突片を同じ方向に折り曲げることによって、写真を保持し得且つ一ヶ所の吊り兼押え突片を用いて壁等にピン止めし得るように形成されてなることである（請求項１）。吊り兼押え突片は略半円状又は三角形状等の適宜の突出形状にてケース本体の各辺中央部位に一体に設けられている。
ケース本体の材質としては特に限定されるものではないが、ポリエチレンテレフタレート、ポリ塩化ビニール、ポリプロピレン樹脂等が挙げられる。好ましくはポリエチレンテレフタレートである（請求項４）。
【０００８】
また、上記ケース本体の一ヶ所のコーナーを挟んで直角に連設する両辺に設けられる吊り兼押え突片の突出幅が、対角線上のもう一方のコーナーを挟んで直角に連設する両辺に設けられる他方の吊り兼押え突片よりも狭く形成され、該他方の吊り兼押え突片の曲げ根元には前記突出幅に相当する開口長さで且つ吊り兼押え突片の厚さに相当する開口幅を有する連結口が開口されてなることである（請求項２）。
【０００９】
更に、上記ケース本体と略同じ大きさの正面視略矩形状に形成され、四角各辺に沿う周りには模様又は図柄等が施された透明な装飾体がケース本体に宛がわれるように成し、ケース本体に収容保持される写真の周りに模様又は図柄等の飾り付けが成されるように構成されてなることである（請求項３）。
【発明の効果】
【００１０】
本発明の写真ケースによれば、ケース本体が曲げに強く且つ曲げ後において手を加えない限り復元しない特性を有する透明な板材、例えばポリエチレンテレフタレート板材から形成されてなることで、四角各辺に設けられる吊り兼押え突片を曲げ根元から折り曲げても切れたり、曲げた後において元の状態に戻ってしまうことがなく、写真をしっかりと収容保持することができる。
また、前記の板材を打抜くと言った簡単な打抜き加工によりケース本体を製作することができることで、従来品に比べて低コストで製作することができる。よって、安価に提供することができる。
更に、写真をケース本体に収容保持させる場合には、ケース本体に写真を宛がい、一辺を除く三辺の吊り兼押え突片を折り曲げると言った簡単な曲げ操作で、写真をケース本体に収容保持させることができることから、従来品に比べて写真の収容保持が頗る簡単となり、写真を保持させたり、差し替え等の取扱い性が良好で実用的効果が大となる。
【００１１】
また、ケース本体に宛がわれた写真を保持するように上向きに折り曲げられた幅狭の吊り兼押え突片に、別途に製作されたケース本体の幅広の吊り兼押え突片に開口されている連結口を引っ掛けるように連結させることで、写真が個々に収容保持された数枚の写真ケースを特別な連結手段を一切採用することなく、縦方向に連ねることができる。
従って、数枚の写真ケースを縦方向に連ねた場合には最上段のケース本体のみをピン止めにより壁等に取り付けるだけで、数枚の写真ケースを縦方向に連ねた状態で壁掛けすることができる。例えば、新に撮ったお子様の新しい写真を収容保持させたケース本体をピン止めすることなく、縦方向に順次に連ねて追加する等の使用が可能となり、大変便利である。
更に、縁に沿って模様や図柄等が施されたり、或いは色彩が施された装飾体を宛がうことで、ケース本体に収容保持させた写真の周りを縁取りするように飾り付けて写真をより一層鮮やかに引きださせる装飾効果が得られる有益な写真ケースを提供することができる。
【発明を実施するための最良の形態】
【００１２】
ケース本体は、写真のサイズと略同じ大きさを有する正面視略矩形状に透明なプラスチック板から打抜き加工等により形成され、その四角各辺の中央部位には略半円状や三角形状等の適宜の突出形状にて突出する吊り兼押え突片が、曲げ根元に設けられる平行な２本の折れ線を介して曲げ可能に備えられたものとする。
そして、上記吊り兼押え突片の内、ケース本体の一ヶ所のコーナーを挟んで直角に連設するケース本体の両辺に設けられる吊り兼押え突片の突出幅が、対角線上のもう一方のコーナーを挟んで直角に連設する両辺に設けられる他方の吊り兼押え突片よりも幅狭に形成されて、他方の吊り兼押え突片の曲げ根元には前記突出幅に相当する開口長さで且つその厚さに相当する開口幅で開口される連結口に、別途製作のケース本体の幅狭の吊り兼保持突片が挿し込まれることで、別途に製作され写真等が収容保持された数枚のケース本体が縦方向に追加連ねた状態で壁掛けし得るように構成されたものとする。
【００１３】
また、写真と共にケース本体の裏面側に宛がわれる装飾体は、ケース本体と略同じ大きさに形成すると共に、四角各辺に沿う周りに花柄の模様又はキャラクター等の図柄、更に必要に応じて色彩を設けたものとする。
【実施例１】
【００１４】
本発明の実施の具体例を図面に基づいて説明する。
図１は本発明写真ケースの実施形態の一例を示し、ケース本体Ａは、曲げに強く且つ曲げ後において手を加えない限り復元しない特性を有する材質からなる透明な板材を用いて、写真Ｂのサイズと略同じ大きさの正面視略矩形状に打抜き加工等により形成され、その四角各辺には吊り兼押え突片１〜４が設けられている。
ケース本体Ａの材質としては特に限定されるものではないが、ポリエチレンテレフタレート、ポリ塩化ビニール、ポリプロピレン樹脂等が挙げられる。好ましくはポリエチレンテレフタレートである。
【００１５】
吊り兼押え突片１〜４は、コルクボードやパーティションボードその他の壁Ｃ等にケース本体Ａを画鋲やプッシュピン等のピンＤ類によりピン止め取り付けると共に、ケース本体Ａの裏面側に宛がわれる写真Ｂを保持するように、ケース本体Ａの四角各辺の中央部位に、ケース本体Ａが板材から打抜き加工されると同時に適宜大きさの略半円状に一体に設けられる。この場合、吊り兼押え突片１〜４の突出形状は三角形状等でも良い。
そして、各吊り兼押え突片１〜４の中央部位にはピン挿通孔５が開口されており、画鋲やプッシュピン等のピンＤ類にて壁Ｃ等のピン止めし得るようにしてある。ピン挿通孔５はピン類の太さに合わせた大きさである。
尚、ケース本体ＡはピンＤ類を簡単に刺し通すことができる材質からなることで、ピン挿通孔５は必要に応じて設ければ良く、任意である。
【００１６】
また、吊り兼押え突片１〜４のケース本体Ａとの連設部である曲げ根元部位には２本の折れ線６，７が平行に形成されており、この折れ線６，７から１８０°向きを変えるようにケース本体Ａの内側に向けて三ヶ所、例えば吊下げ兼押え突片２〜４を折り曲げることで、ケース本体Ａに宛がわれるように収容される写真Ｂを保持し得るようにしてある（図４参照）。
【００１７】
折れ線６，７は、ミシン目等の適宜の折れ目形態から形成されるもので、一方の折れ線６はケース本体Ａの縁部に沿って設けられ、他方の折れ線７は前記折れ線６から写真Ｂの厚さ又は後述の装飾体ａの厚さを加えた間隔等をおいて平行に設けられる。
【００１８】
また、上記吊り兼押え突片１〜４の内、ケース本体Ａの一ヶ所のコーナー（長辺一辺と短辺一辺との連設コーナー）を挟んで直角に連設するケース本体Ａの両辺に設けられる吊り兼押え突片２，３の突出幅Ｌが、対角線上のもう一方のコーナーを挟んで直角に連設する両辺に設けられる他方の吊り兼押え突片１，４の突出幅Ｌ1よりも幅狭に形成されている（図１参照）。
そして、幅広側の吊り兼押え突片１，４の曲げ根元中央部位には前記突出幅Ｌに相当する開口長さで且つ突片２，３の厚さに相当する開口幅を有する連結口８が開口されており、ケース本体に宛がわれた写真を保持するように折り曲げられた幅狭の吊り兼押え突片２，３のいずれか一方に連結口８を引っ掛けるように連結させることで、幅広の吊り兼押え突片１，４のいずれか一方を吊持連結し得るようになっている。
これにより、図７に示したように、別途に製作されて写真Ｂが収容保持された数枚のケース本体Ａを特別な連結手段を一切採用することなく、縦方向に順次に連ねて追加壁掛けし得るように形成されている。
【００１９】
装飾体ａは、透明なプラスチック板を用いてケース本体Ａの略同じ大きさの正面視略矩形状に打抜き加工され、四角各辺に沿って巡るように種々の模様又は図柄９等が縁取りするように施されている。
模様又は図柄９等としては特に限定されるものではない。例えば模様としては種々の花模様等が挙げられる。図柄としては動物や人形等のキャラクターが挙げられる。また、必要に応じて模様又は図柄等に色付けを施したり、四辺各辺に沿った波型等のような線模様を施し、その線模様と四角各辺の縁部との間に色付けを施すことによって色彩感覚を付与する等の工夫をすることは勿論自由で、任意である。
【００２０】
尚、前述の模様や図柄等をケース本体Ａの縁部に沿わせて本体部に直接施すことも良い。この場合、装飾体は必ずしも必要としない。
【実施例２】
【００２１】
図８及び図９は、写真Ｂを個々に収容保持させた数枚のケース本体Ａを縦方向に連ねて壁掛けする場合の他の連結構造を示し、斯かる実施例では全ての吊り兼押え突片１〜４の大きさ（突出幅）が同じ大きさに形成され、それらの曲げ根元部分には突出幅方向の一方向から中心部に至るようにスリット状の開口部10が設けられており、図９に示したように、開口部10同士の互いの係合連結により、数枚のケース本体Ａを縦方向に追加連ねて壁掛けし得るように構成してなるものである
【図面の簡単な説明】
【００２２】
【図１】本発明写真ケースの実施形態の一例を示す斜視図
【図２】ケース本体、装飾体、写真を示す斜視図
【図３】写真と共に装飾体をケース本体に宛がう収容状態を示す斜視図
【図４】ケース本体の長辺一ヶ所の吊り兼押え突片を除く三ヶ所の吊り兼押え突片を折り曲げて写真と共に装飾体をケース本体に収容保持させた状態を示す背面斜視図
【図５】写真と共に装飾体を保持するように折り曲げたケース本体の幅狭の吊り兼押え突片に、別途製作のケース本体の幅広の吊り兼押え突片に開口されている連結口を引っ掛けるように差し込んで別途製作のケース本体を連結させた状態を示す要部の拡大背面図
【図６】図５のVI−VI断面図
【図７】数枚の写真ケースを縦方向に連ねた状態を示す斜視図
【図８】数枚の写真ケースを縦方向に連ねるその連結構造の他の実施例を示す本発明写真ケースの斜視図
【図９】ケース本体のいずれか一辺の吊り兼押え突片のスリット状開口部と別途製作のケース本体のいずれか一辺の吊り兼押え突片のスリット状開口部とを互いに係合連結させた状態を示す要部の拡大背面図で、一部を切欠して示す
【符号の説明】
【００２３】
Ａ：ケース本体          ａ：装飾体
１〜４：吊り兼押え突片      ５：ピン挿通孔
６，７：折れ線              ８：連結口
９：模様又は図柄        10：開口部
Ｂ：写真                Ｃ：壁等
Ｄ：ピン
【図１】
2005107153.tif 000003
【図２】
2005107153.tif 000004
【図３】
2005107153.tif 000005
【図４】
2005107153.tif 000006
【図５】
2005107153.tif 000007
【図６】
2005107153.tif 000008
【図７】
2005107153.tif 000009
【図８】
2005107153.tif 000010
【図９】
2005107153.tif 000011